(57)【特許請求の範囲】
【請求項１】
照明光を発するＬＥＤ発光装置（２）と、前記ＬＥＤ発光装置を駆動するためのＬＥＤ駆動回路（３）と、熱伝導性のよい金属体であって、前記ＬＥＤ発光装置及び前記ＬＥＤ駆動回路を内蔵し、前記ＬＥＤ発光装置（２）から発せられる熱を放熱する放熱フィン（４ａ）、第１軸受部（４ｂ）が一体に押出成形された放熱体（４）とを有する照明装置本体（５）と、
熱伝導性のよい金属体であって、前記照明装置本体（５）を構造物に固定するための固定台（６）と、
前記放熱体（４）からの熱を前記固定台（６）に伝熱し、前記放熱体（４）と前記固定台（６）とを相互に連結し、かつ直交する２軸線を中心に任意の角度位置に揺動可能で、前記放熱体（４）と前記固定台（６）に固定できる熱伝導性のよい金属製の自在軸継手（７）と
からなるＬＥＤ照明装置であって、
前記放熱体（４）には、前記押出成形された押出方向の端面に、前記放熱体（４）の縁部と一体になるように設けられた縁部材（１４）と、前記放熱体（４）及び前記縁部材（１４）の縁部に、パッキン（１０）を介して取り付けられたカバー（９）が設けられ、
前記自在軸継手（７）は、第１軸と、前記第１軸と直交する第２軸とが交差する自在軸継手の構造であり、前記第１軸及び前記第２軸の各軸に嵌入し前記照明装置本体（５）を前記固定台（６）に任意の揺動角度位置で固定するためのクランプ手段（１８，２１）を有している
ことを特徴とするＬＥＤ照明装置。
【請求項２】
請求項１に記載されたＬＥＤ照明装置において、
前記クランプ手段（１８，２１）は、前記自在軸継手（７）に設けられたジョイント部（７ａ）及び前記放熱体（４）に設けられた第１軸受部（４ｂ）を貫通し、両者を相互に固定する第１ボルト（１８）、及び前記自在軸継手（７）に設けられたジョイント部（７ｂ）及び前記固定台（６）に設けられた第２軸受部（６ａ）を貫通し、両者を相互に固定する第２ボルト（２１）とからなる
ことを特徴とするＬＥＤ照明装置。
【請求項３】
請求項１又は２に記載されたＬＥＤ照明装置において、
前記構造物はトンネルであり、前記固定台（６）は前記トンネルの側壁（８）又は天井（２８）に固定されるものである
ことを特徴とするＬＥＤ照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）を発光装置とするＬＥＤ照明装置に関する。更に詳しくは、ＬＥＤから発生する熱の放熱を容易にするとともに構造物への取付けを容易にするＬＥＤ照明装置に関する。
【背景技術】
【０００２】
近年、ＬＥＤ発光装置の用途拡大に伴い、このＬＥＤは種々の分野に適用されることが多くなっている。特に、照明範囲を広くするために、複数のＬＥＤを光源として構成されたパッケージ式のＬＥＤ照明装置が広い空間に光を照明させるのに使用されている。例えば、植物栽培関係、トンネル、スタジアム、劇場等の施設である。又、トンネルに適用される場合のＬＥＤ照明装置は、トンネルの壁面に取り付けられ車輌等の照明のために使用される。
【０００３】
一般に建築物等の室内で使用されるＬＥＤ照明装置は、単に明るさのみを追求すればその目的は達成される。しかし、トンネルの場合は、車輌が屋外から急に暗い所へ進行することになるので、トンネル内に進入する車輌等の安全走行を確保することが目的となる。最近はＬＥＤ照明装置が使用されるようになっているが、トンネル内の照明は、道路照明施設設置基準によって定められている。この照明装置は、照明の目的に応じて、対称照明方式、カウンタービーム照明方式、プロビーム照明方式等で使用されることが知られている。
【０００４】
トンネル内を走行する車輌等にとっては、道路状況、交通状況等の正確な視覚情報が必要である。このため照明装置の機能は大きなウェイトを占める。このように照明装置は、路面を照明して落下物等の障害物を視認しやすくするようなことがなされているが、同時に車輌を直接照明し安全な運転を確保することもなされている。即ち、照明装置はトンネル内での安全な視覚環境を保つことにある。又、ＬＥＤ照明装置は、多くの熱を発生することから、放熱を行う手段も講じられており、さらに長期間の設置を考慮してその使用の容易さに加え、メンテナンスの容易性も必要である。
【０００５】
従来の例であると、例えばトンネルに適用された例として、ＬＥＤと特定されるものでないが、プロビーム照明を目的として放電ランプの照明装置が装着され光を反射板で反射させるトンネル用照明装置が知られている（例えば、特許文献１，２参照）。又、防爆形照明装置ではあるが、複数のＬＥＤ光源を取り付けた構成で、例えばトンネルの天井に支持させた照明装置が知られている（例えば、特許文献３参照）。
【０００６】
この例によると、トンネル天井への支持は、吊り下げ具を介して単に照明装置をそのままの形態で吊り下げている。放熱はＬＥＤ光源の支持体の放熱フィンによっている。又、トンネル用と特定されるものでないが、放熱を考慮したＬＥＤ照明装置として、ダイカスト製の器具筐体の取り付け面において、光源ユニットの背面を密着させる接触部位をセラミックスとしたものが知られている（例えば、特許文献４参照）。
【０００７】
更に、冷却パネルの片面に多数のＬＥＤ発光ユニットを設け、この冷却パネルをアルミニウム中空押し出し形材として、その中空部に冷却用流体を通してパネルを冷却する照明装置も知られている（例えば、特許文献５参照）。更に、放熱を考慮したＬＥＤ照明装置として、ＬＥＤユニットの厚み方向の他面側に配置されて反射板に保持され、ＬＥＤユニットで発生した熱を放熱する長尺の放熱ブロックを備えたものも知られている（例えば、特許文献６参照）。更に、ＬＥＤの取り付けられた扁平管に放熱フィンの設けられた構成のものも知られている（例えば、特許文献７参照）。
【先行技術文献】
【特許文献】
【０００８】
【特許文献１】特開２００７−３２８９６３号公報
【特許文献２】特許第４１２７４５９号公報
【特許文献３】特開２００７−２２７３０５号公報
【特許文献４】特開２０１１−９６４１６号公報
【特許文献５】特開２０１１−５４５２９号公報
【特許文献６】特開２０１１−１５０８１６号公報
【特許文献７】特開２０１０−２６７４３５号公報
【発明の概要】
【発明が解決しようとする課題】
【０００９】
前述したように、ＬＥＤ照明装置は種々のタイプのものが公知であり、放熱についてもＬＥＤ発光部の周囲にその対策の施されたものは多い。このようにＬＥＤ照明装置を器具としてみた場合には、それなりに放熱処置がなされている。しかし、複数の発光体で構成されたＬＥＤ照明装置は発熱量も多くなり、従来の方法では放熱に限界もある。放熱を更に効率よく行うためには、従来の方法をそのまま踏襲すると、放熱のための専用装置を要するなどコスト高になる。又、構造体に取り付ける場合には、このＬＥＤ照明装置を取り付けるための取付具も必要となる。
【００１０】
特に、トンネル等の構造物に適用されるＬＥＤ照明装置は、長期間の使用に耐えるものでなければならない。又、できるだけメンテナンスのし易い構成のものにしなければならない。照明条件は、トンネルの場合、走行する車両、路面等の照明対象が種々に亘っていることから、車輌そのもの、取り付け部位の条件やトンネルの構造にも左右される。このため照明装置の取り付け形態は、トンネル毎に変わるので、フレキシブルな形態のものが求められる。又、これに伴い取付具を含めた照明装置の放熱の効率性も求められている。
【００１１】
本発明は、前記した課題を解決するためになされたもので、下記の目的を達成する。本発明の目的は、構造が簡素で、放熱効率を高め、柔軟性のある取り付け構造を有するＬＥＤ照明装置を提供することにある。
【課題を解決するための手段】
【００１２】
本発明は、前記目的を達成するために次の手段をとる。
本発明１のＬＥＤ照明装置は、
照明光を発するＬＥＤ発光装置（２）と、前記ＬＥＤ発光装置を駆動するためのＬＥＤ駆動回路（３）と、熱伝導性のよい金属体であって、前記ＬＥＤ発光装置及び前記ＬＥＤ駆動回路を内蔵し、前記ＬＥＤ発光装置（２）から発せられる熱を放熱する放熱フィン（４ａ）、第１軸受部（４ｂ）が一体に押出成形された放熱体（４）とを有する照明装置本体（５）と、
熱伝導性のよい金属体であって、前記照明装置本体（５）を構造物に固定するための固定台（６）と、
前記放熱体（４）からの熱を前記固定台（６）に伝熱し、前記放熱体（４）と前記固定台（６）とを相互に連結し、かつ直交する２軸線を中心に任意の角度位置に揺動可能で、前記放熱体（４）と前記固定台（６）に固定できる熱伝導性のよい金属製の自在軸継手（７）と、からなるＬＥＤ照明装置であって、
前記放熱体（４）には、前記押出成形された押出方向の端面に、前記放熱体（４）の縁部と一体になるように設けられた縁部材（１４）と、前記放熱体（４）及び前記縁部材（１４）の縁部に、パッキン（１０）を介して取り付けられたカバー（９）が設けられ、
前記自在軸継手（７）は、第１軸と、前記第１軸と直交する第２軸とが交差する自在軸継手の構造であり、前記第１軸及び前記第２軸の各軸に嵌入し前記照明装置本体（５）を前記固定台（６）に任意の揺動角度位置で固定するためのクランプ手段（１８，２１）を有している
ことを特徴とする。
【００１３】
本発明２のＬＥＤ照明装置は、本発明１において、
前記クランプ手段（１８，２１）は、前記自在軸継手（７）に設けられたジョイント部（７ａ）及び前記放熱体（４）に設けられた第１軸受部（４ｂ）を貫通し、両者を相互に固定する第１ボルト（１８）、及び前記自在軸継手（７）に設けられたジョイント部（７ｂ）及び前記固定台（６）に設けられた第２軸受部（６ａ）を貫通し、両者を相互に固定する第２ボルト（２１）とからなることを特徴とする。
【００１７】
本発明３のＬＥＤ照明装置は、本発明１又は２において、
前記構造物はトンネルであり、前記固定台（６）は前記トンネルの側壁（８）又は天井（２８）に固定されるものであることを特徴とする。
【発明の効果】
【００１８】
本発明のＬＥＤ照明装置は、主要部材を全て金属製にしたことで放熱性のよい装置となった。特にトンネル内に設置した場合には、トンネル側壁等に効率よく放熱ができるようになった。又、主要部材を全て押出成形部材としたので、生産性がよくコスト削減の図られた装置となった。更に、柔軟な構成の取り付け構造にしたことで、照明方向がフレキシブルとなり、照明範囲が広くなり、どのような照明方式にも対応できる装置となった。このように本発明の構成は照明機能を向上させるものとなった。
【図面の簡単な説明】
【００１９】
【図１】図１は、トンネル側壁に取り付けたＬＥＤ照明装置の全体図である。
【図２】図２は、トンネル内の照明状態を示す説明図である。
【図３】図３は、ＬＥＤ照明装置の平面図である。
【図４】図４は、図３をＡ−Ａ線で切断したＡ−Ａ断面図である。
【図５】図５は、図３をＢ−Ｂ線で切断したＢ−Ｂ断面図である。
【図６】図６は、押出成形後に除肉された放熱体の構成を示す外観図である。
【図７】図７は、押出成形後に除肉された自在軸継手の構成を示す外観図である。
【図８】図８は、押出成形後に除肉された固定台の構成を示す外観図である。
【発明を実施するための形態】
【００２０】
本発明に関する実施の形態を図に基づき詳細に説明する。ＬＥＤ照明装置はその使用目的を限定されるものではないが、トンネルに使用される照明装置として説明する。図１，２はトンネルのトンネル側壁８、天井２８に取り付けたＬＥＤ照明装置１の構成を示している。
【００２１】
このＬＥＤ照明装置１は、内部に照明のための光を発するＬＥＤ発光装置２と、ＬＥＤ発光装置２を駆動するためのＬＥＤ駆動回路３用の基板とを内蔵し（図４，５参照）、外部に放熱体４を有する照明装置本体５と、この照明装置本体５をトンネルのトンネル側壁８に固定される固定台６と、照明装置本体５と固定台６の間にあって照明装置本体５が照明する方向（照明方向）を変えることを可能にし、両者を相互に連結する自在軸継手７とからなっている。自在軸継手７は、図１における矢印θ１，θ２で示すように２軸線を中心に９０度異なる方向に揺動可能であり、又、固定台６からトンネル側壁８に放熱が可能な構成になっている。
【００２２】
トンネル内に設置される照明装置は前述したように、走行する車輌の安全と、路面上の障害物を認視することにある。トンネル内の照明は上方から照明し、路面、路上障害物を適度な明るさと輝度の差等で認知しやすいように、主に天井２８に設置されることが多い。なお、照明装置はトンネル側壁８の所定の高さ位置、隅角部等に設置されてもよいことはいうまでもない。この照明方式は図２に示すように３つの方式がある。
【００２３】
図２において、「Ａ」は対称照明方式を、「Ｂ」はカウンタービーム方式を、「Ｃ」はプロビーム方式を示している。対称照明方式とは、道路Ｒ横軸（横方向）に対して対称配光の照明器具を使用する照明方式である。道路Ｒの縦方向（縦軸）にほぼ対称な配光の照明器具を用い、車の進行方向に対称に光を配する照明方式である。カウンタービーム照明方式は、照明器具の配光が道路横軸に対して非対称なもの（非対称照明）であって、走行する車輌Ｃａの進行方向に向き合う（カウンター）方向（進行方向の逆方向）に光軸を向けて照明する方式である。プロビーム照明方式は、非対称照明であって、走行する車輌Ｃａの進行方向に光軸を向けて照明する方式である。このように照明装置はその目的に応じた方式のものが使用されている。本発明のＬＥＤ照明装置１は、基本的にいずれの方式にも対応できるものである。
【００２４】
次に、図３〜図８に従って、ＬＥＤ照明装置１の構成を詳細に説明する。図３は、ＬＥＤ照明装置１の平面図、図４は、図３をＡ−Ａ線で切断したＡ−Ａ断面図、図５は、図３をＢ−Ｂ線で切断したＢ−Ｂ断面図である。図６〜図８は、主要部材の単体構成を示している。図において、照明装置本体５は、前述したように、自在軸継手７を介して固定台６に取り付けられてＬＥＤ照明装置１を形成している。固定台６は、トンネル側壁８の所定の高さ位置に固定されているが、天井２８に固定されていてもよい。
【００２５】
照明装置本体５の枠体は放熱体４として構成され、内部に照明用の複数のＬＥＤ発光装置２が設けられている。放熱体４の内部には凸状に複数の支持部材１３が設けられている。この支持部材１３にＬＥＤ駆動回路３用の基板が設けられ、この基板上に複数のＬＥＤ発光装置２が設けられている。この支持部材１３は照明方向を限定するために、ＬＥＤ発光装置２を設ける面の角度を変えた部材構成にすることができる。
【００２６】
図４に示す照明装置本体５では、一方の側の２組のＬＥＤ発光装置２を、放熱体４の取付面４ｄに対して４５度傾斜した面に取り付け、他方の側の２組のＬＥＤ発光装置２を放熱体４の取付面４ｄに対して平行な面に取り付けた構成にしている。この放熱体４上には、放熱体４の内部を覆う形でカバー９が密着して設けられている。このカバー９は透明ガラス（又は光透過性の樹脂）製の部材である。なお、カバー９は光透過性のよい部材であればよい。このカバー９の周囲縁部はフランジ９ａになっていて、放熱体４の周縁部に合わせている。
【００２７】
この縁部のフランジ９ａに跨って放熱体４との間には、無端構成で成形されたパッキン１０が取り付けられている。このパッキン１０はカバー９の周囲に取り付けられ、フランジ９ａを介して放熱体４の縁周囲にカバー抑え１１により押圧され、内部が密封できるようになっている。このカバー抑え１１は、放熱体４側の面にねじ穴部が形成されている。カバー抑え１１のねじ穴部には、放熱体４側からボルト穴に挿入されたボルト１２のねじ部がねじ込まれ、カバー９、パッキン１０を挟んで、放熱体４に固定されるようになっている。カバー９、パッキン１０及びカバー抑え１１は、共に矩形状の部材であるが、縁部がＲ形状となっている。
【００２８】
放熱体４の外部は、放熱フィン４ａと貫通穴を有する第１軸受部４ｂとが構成されている。この放熱フィン４ａは、ＬＥＤ発光装置２から発生する熱を放熱するためのものである。このフィン４ａの長さは、放熱効果の最も適する寸法に設定すればよい。従って、フィン４ａを一様な高さにそろえる必要はなく異なる長さであってもよい。放熱体４の外部中央部には、放熱フィン４ａに取り囲まれて第１軸受部４ｂが設けられている。この第１軸受部４ｂは二股になっていて、自在軸継手７のジョイント部７ａがその間に嵌り込むようになっている。又、放熱体４には、配線用の穴４ｃが設けられている。図５ではこの配線用の穴４ｃをトンネル側壁８側に設ける構成になっているが、この配線穴４ｃは、縁部側に設けられていてもよい。例えば、後述するフレーム構成の縁部材の側面に設けることにより、トンネル側壁８とのスペースが限られ空間が狭い場合に、ＬＥＤ照明装置の側面配線が有効である。
【００２９】
放熱体４は、図６に示すように、金属製の部材であるアルミニウム製の押出成形部材が機械加工（例えば、ミーリング加工）によって切削され、製造された部材である。即ち、図６に示す矢印の方向で押出成形された放熱体原材４０の所定長さに切断し、所定長さのものから、不要部１００（二点鎖線）を機械加工により削り取って、所要の形状の放熱体４としたものである。この放熱体原材４０から削り取られる不要部１００は、第１軸受部４ｂの余肉のみである。なお、放熱体４は、熱伝導性のよい金属体であればよい。
【００３０】
この放熱体４の押出方向に沿った側面は、放熱体４の縁部を構成するが、放熱体４の押出方向の端面Ｘ（図６参照）は、照明装置本体５の放熱体４の縁部を構成しない。このため、このままカバー抑え１１を取り付けた場合に、この部位は空間部となる。空間部が形成されない照明装置本体５を構成するために、この部位に、放熱体４の縁部に相当するプラスチック縁部１４を、放熱体４と一体的に取り付けるようにしている。言い換えると、プラスチック縁部１４の縁部が、放熱体４の縁部に連続するように同一の断面形状に構成されている（図４，５参照）。このプラスチック縁部１４は、図３に示すカバー押さえ１１の形状に沿って縁部がＲ形状となっている。
【００３１】
プラスチック縁部１４の放熱体４への取り付けは、アルミニウム体（金属体）である放熱体４に対してプラスチック縁部１４が一体となるように施されるが、機械的な固着、接着、又は本出願人の発明（例えば、特開２００７−１７５８７３号公報参照）である熱可塑性樹脂組成物を射出成形させ、金型内にインサートされているアルミニウム（金属）と樹脂とを一体に接合させる方法であってもよい。このプラスチック縁部１４を設けることで、放熱体４内部の密封性は保たれる。カバー抑え１１に対しては、Ｌ字状のステー１５でプラスチック縁部１４を間に挟み、ボルト１２で固定する。このステー１５の取付穴を長穴形状にすると、取付時の位置調整が容易になる。プラスチック縁部１４が硬い部材であれば、ステー１５は必要でなくこのプラスチック縁部１４を直接カバー押さえ１１に固定してもよい。本実施の形態はステー１５で固定する構成としている。
【００３２】
図６の形状は、放熱体４の押出方向に沿った側面に縁部を設けた構成としているが、この放熱体４を縁部のない形状の構成としてもよい。この場合、縁部に相当する部位はプラスチック縁部１４と一体的なフレーム構成の縁部材とする（図示せず）。この縁部材は放熱体全周に囲繞させるようにして取り付けられることになる。この構成であると、放熱体の形状が押出成形部材として、より簡素化されるとともに、放熱体縁周囲は囲繞された縁部材により密着固定されることになる。この場合は、継ぎ目のないフレーム構成の縁部材にパッキン１０を介してカバー９を直接密着固定することができる。パッキンの形状は図に示すような断面Ｌ字状のものでなく、複数の凹凸断面形状を有するパッキンであってもよい。例えば、カバー９の側面、フランジ９ａの上下面及び側面に接するようなカバー９の断面形状に沿った凹凸断面形状のものであってもよい。
【００３３】
放熱体４に取り付けられる自在軸継手７は、図７に示すように金属製の部材であるアルミニウム製の押出成形部材が機械加工（例えば、ミーリング加工）によって切削され、製造された部材である。即ち図７に示す矢印の方向に押出成形された自在軸継手原材７０を所定長さに切断し、所定長さのものから、不要部２００（二点鎖線）を機械加工により削り取って所要の形状の自在軸継手７としたものである。この自在軸継手原材７０から削り取られる不要部２００は、二股のジョイント部７ｂの余肉である。なお、自在軸継手７は、熱伝導性のよい金属体であればよい。
【００３４】
第１軸受部４ｂとジョイント部７ａは同径の貫通穴１７が設けられていて、クランプボルト１８が挿入されている。このクランプボルト１８を軸に、第１軸受部４ｂとジョイント部７ａは相互に回動可能である。即ち、照明装置本体５は自在軸継手７に対し揺動可能である。照明装置本体５と自在軸継手７の揺動に伴う相対位置が定まると、クランプボルト１８はナット１９によりねじ締めされる。このねじ締めにより、第１軸受部４ｂとジョイント部７ａはクランプボルト１８とナット１９で挟まれ押圧固定される。
【００３５】
自在軸継手７は、第１軸受部４ｂの第１軸と直交する方向に、この第１軸と位置がずれて第２軸を構成する二股のジョイント部７ｂが設けられていて、固定台６の第２軸受部６ａがその間に嵌り込むようになっている。自在軸継手７の二股のジョイント部７ｂを取り付ける固定台６は、図８に示すように金属製でアルミニウムの押出成形部材が機械加工（例えば、ミーリング加工）によって切削され、製造された部材である。即ち、図８に示す矢印の方向で押出成形された固定台原材６０の所定長さに切断し、所定長さのものから、不要部３００（二点鎖線）を機械加工により削り取って所要の形状の固定台６としたものである。なお、固定台６は、熱伝導性のよい金属体であればよい。
【００３６】
この固定台原材６０から削り取られる不要部３００は、第２軸受部６ａの余肉である。この第２軸受部６ａと二股のジョイント部７ｂには、同径の貫通穴２０が設けられていて、クランプボルト２１が挿入されている。このクランプボルト２１を軸に、第２軸受部６ａと二股のジョイント部７ｂは相互に回動可能である。即ち、自在軸継手７は固定台６に対し揺動可能である。自在軸継手７の揺動に伴う固定台６との相対位置が定まると、クランプボルト２１はナット２２によりねじ締めされる。
【００３７】
このねじ締めにより第２軸受部６ａと二股のジョイント部７ｂは、クランプボルト２１とナット２２で挟まれ押圧固定される。このように照明装置本体５は自在軸継手７との相対的揺動動作で、角度が９０度異なる２方向（図１のθ１，θ２方向）の任意の角度に柔軟に位置を定めることができる。クランプボルト１８，２１の挿入される貫通穴１７、貫通穴２０及び各部材の端面は、押出成形後に機械加工されるので正確な寸法、正確な形状のものとなっている。
【００３８】
このように自在軸継手７が９０度向きを変えた２軸方向（図１のθ１，θ２方向）に揺動可能にしたことで、照明装置本体５はトンネル内の所定の方向に向きを変えて照明することができる。現場で照明方向を調整しながら最適な照明方向を定めた後、クランプボルト１８とナット１９、及び、クランプボルト２１とナット２２により照明装置本体５を、自在軸継手７とともに固定台６に固定する。又、長期間一定の位置を継続させるためには、角度位置を調整した後、各部材の側面からクランプボルトに対し、ビス等のねじ止めを行って固定してもよい。
【００３９】
又、放熱体４、固定台６及び自在軸継手７は、全て押出成形部材から製造されるものとしている。このことは生産性を著しく向上させることになった。即ち、押出成形は押し出し工程のみで基本形状の部材ができる利点がある。これを所定長さに切断し、余肉を機械加工で除肉することのみで、短時間に所望の部材ができるのである。余肉の機械加工は複数の原材に同時に施すこともできる。
【００４０】
本発明はこれを適用したものである。従って、ダイカスト等の方法で製造されたものに比し、押出成形部材から製造されたものは、低コストとすることができる。言い換えると、主要部材を全て押出成形部材から製造された部材とすることで、トンネル等に設置する大量のＬＥＤ照明装置１を低コストで提供できるようにした。かつ、主要部材を全て金属製にしている。本実施の形態では、主要部材の材料を全てアルミニウムとして説明したが他の金属であってもよい。但し、長期間の使用が伴うので、錆の発生しない金属（防錆処理がされた金属）の必要がある。
【００４１】
このことにより、照明装置本体５は、放熱性を向上させることができるようになった。部分的には放熱体４に放熱フィン４ａを設け、放熱フィン４ａから大気中に放熱することを行っている。また、照明装置本体５は、複数のＬＥＤ発光装置２の設置に伴う放熱に対応し、さらに放熱効果を高めるため、熱伝導のよい部材を使用することで、これを補足することになる。アルミニウム等金属は熱伝導性がよいので、ＬＥＤ発光装置２で発生する熱は、自在軸継手７、固定台６側に熱移動する。移動した熱は、自在軸継手７、固定台６等の外周面より大気中に放出されるとともに、トンネル側壁８を介して地中に放熱される。
【００４２】
本実施の形態では、放熱体４のみに放熱フィン４ａを設けた構成で説明したが、他の部位、例えば自在軸継手７、固定台６に放熱フィンを設ける構成であってもよい。又、固定台６においては、放熱効果を向上させるために、放熱する部材を固定台６に取り付け、地中に埋め込む構成のものであってもよい。照明装置本体５は、前述の３つの照明方式に対し対応が可能である。例えば、放熱体４の取付面４ｄに対して所定の角度に傾斜した面にＬＥＤ発光装置２を取り付ける支持部材１３を中心に構成すれば、カウンタービーム照明方式又はプロビーム照明方式に対応が可能である。更に、放熱体４の取付面４ｄに対して平行な面にＬＥＤ発光装置２を取り付ける支持部材１３を中心に構成すれば、対称照明方式に対応することができる。本実施の形態の説明では、ＬＥＤ照明装置をトンネルの照明に適用したが、他の分野の照明にも適用可能である。
【００４３】
以上、本発明の実施の形態について説明したが、本発明はこの形態に限定されることはなく、本発明の目的、趣旨を逸脱しない範囲内での変更が可能なことはいうまでもない。
【符号の説明】
【００４４】
１…ＬＥＤ照明装置
２…ＬＥＤ発光装置
３…ＬＥＤ駆動回路
４…放熱体
５…照明装置本体
６…固定台
７…自在軸継手
８…トンネル側壁
【図１】
0005972591.tif 000002
【図２】
0005972591.tif 000003
【図３】
0005972591.tif 000004
【図４】
0005972591.tif 000005
【図５】
0005972591.tif 000006
【図６】
0005972591.tif 000007
【図７】
0005972591.tif 000008
【図８】
0005972591.tif 000009